(57)【要約】【課題】容器メーカーにおいてほぼ平板状に組み立てる一方、アンプル製造メーカーにおいて簡単に立体形状に組み立てる。【解決手段】糊代をそれぞれ底面部２に対して折り目ｇに沿って折り込み、糊代を底面部２に貼着した後、上方摺動部５および下方摺動部８をそれぞれ折り目ｃ，ｆに沿って折り込む。次いで、各ガイドの上下端部をそれぞれ上方摺動部５および下方摺動部８に形成された切れ目に差し込む。そして、上方摺動部５と上方傾斜部４との折り目ｃおよび下方摺動部８と下方傾斜部７との折り目ｆを把握すれば、上方摺動部５および下方摺動部８は、切れ目に差し込まれたガイドに沿って摺動し、上方保持部３および上方傾斜部４が折り目ｂを頂点として折れ曲がり、下方保持部６および下方傾斜部７が折り目ｅを頂点として折れ曲がる。この後、上方保持部３の保持穴３ａ、上方傾斜部４の収容穴４ａおよび下方保持部６の保持穴６ａにアンプルＢを収容する。【選択図】  図１
2004352254.tif 000002
【特許請求の範囲】
【請求項１】
左右の各側端縁にそれぞれ糊代が折り目を介して連設された底面部の上端縁に、上方保持部、上方傾斜部および上方摺動部が順に折り目を介して連設されるとともに、底面部の下端縁に、下方保持部、下方傾斜部および下方摺動部が順に折り目を介して連設され、また、各糊代に上下端縁から中央に向かう設定長さの切れ目を有するガイドがそれぞれ連設されて構成され、上方保持部および上方傾斜部にわたってアンプルの頸部および頭部をそれぞれ収容保持する複数個の保持穴および収容穴が左右方向に設定間隔をおいて形成され、また、下方保持部にアンプルの胴部を収容保持する複数個の保持穴が上方保持部の各保持穴および上方傾斜部の各収容穴にそれぞれ中心を一致して形成され、さらに、底面部に対して各糊代を折り込んだ際のガイドに対応して上方摺動部および下方摺動部にそれぞれガイドを差し込み可能な切れ目が形成されてなり、上方摺動部および下方摺動部が切れ目に差し込まれたガイドに沿って摺動することを特徴とするアンプルのホルダー。
【発明の詳細な説明】
【０００１】
【発明の属する技術分野】
本発明は、アンプルのホルダーに関するものである。
【０００２】
【従来の技術】
薬液などが収容されたアンプルは、円筒状の胴部と、胴部の上方に頸部を介して一体に形成された細長い円筒状の頭部と、からなり、ガラスによって製造されている。そして、頸部において頭部を胴部から切り離すことにより、胴部内に収容された薬液などを取り出すものである。
【０００３】
このようなアンプルを収容する収容容器は、通常、各アンプル同士が接触しないように設定間隔をおいて複数個の収容部が形成された紙製のホルダーと、このホルダーが収容される紙製の外箱とによって構成されており、それぞれ展開図にしたがってコートボールを打ち抜いた後、折り目に沿って折り込むとともに、所定部分を貼着することにより、立体形状に組み立てられる。この場合、ホルダーには、アンプルに対応して複数個の収容穴が形成されており、立体形状に組み立てた際に収容穴が形成された部分が起き上がり、アンプルを収容保持する収容部に形成される。そして、立体形状に組み立てられたホルダーの各収容部にそれぞれアンプルが収容保持され、そのホルダーがアンプルとともに一端開口を通して外箱内に収容されるようになっている。
【０００４】
【発明が解決しようとする課題】
ところで、収容容器を構成するホルダーは、予め容器メーカーにおいて立体形状に組み立てられた後、アンプル製造メーカーに供給され、アンプル製造メーカーにおいてホルダーの各収容部にアンプルを配置した後、アンプルが収容保持されたホルダーを外箱に収容し、別途包装して出荷するようにしている。
【０００５】
このように、容器メーカーで組み立てられた立体形状のホルダーをアンプル製造メーカーに供給することから、輸送効率が低いとともに、輸送中に立体形状のホルダーが押し潰されないように緩衝しなければならないという問題があった。また、薬品メーカーにおいても、組み立てられた立体形状のホルダーを保管しなければならず、保管効率も低いという問題があった。
【０００６】
本発明は、このような問題に鑑みてなされたもので、容器メーカーにおいてほぼ平板状に組み立ててアンプル製造メーカーに供給することができるとともに、アンプル製造メーカーにおいて簡単に立体形状に変更させることのできる、輸送効率および保管効率に優れたアンプルのホルダーを提供するものである。
【０００７】
【課題を解決するための手段】
本発明は、左右の各側端縁にそれぞれ糊代が折り目を介して連設された底面部の上端縁に、上方保持部、上方傾斜部および上方摺動部が順に折り目を介して連設されるとともに、底面部の下端縁に、下方保持部、下方傾斜部および下方摺動部が順に折り目を介して連設され、また、各糊代に上下端縁から中央に向かう設定長さの切れ目を有するガイドがそれぞれ連設されて構成され、上方保持部および上方傾斜部にわたってアンプルの頸部および頭部をそれぞれ収容保持する複数個の保持穴および収容穴が左右方向に設定間隔をおいて形成され、また、下方保持部にアンプルの胴部を収容保持する複数個の保持穴が上方保持部の各保持穴および上方傾斜部の各収容穴にそれぞれ中心を一致して形成され、さらに、底面部に対して各糊代を折り込んだ際のガイドに対応して上方摺動部および下方摺動部にそれぞれガイドを差し込み可能な切れ目が形成されてなり、上方摺動部および下方摺動部が切れ目に差し込まれたガイドに沿って摺動することを特徴とするものである。
【０００８】
本発明によれば、左右の糊代をそれぞれ底面部に対して折り目に沿って折り込み、糊代を底面部に貼着する。次いで、外端縁同士が対向するように、上方摺動部および下方摺動部をそれぞれ上方傾斜部および下方傾斜部に対して折り目に沿って折り込む。この際、折り込まれた糊代に連設されたガイドと、上方摺動部および下方摺動部にそれぞれ形成された切れ目とが重なることから、各ガイドの上下端縁部をそれぞれ上方摺動部の切れ目および下方摺動部の切れ目に差し込むことができる。この際、ホルダーは、３枚の板厚に相当する厚みのほぼ平板状であり、この状態でアンプル製造メーカーに供給される。
【０００９】
一方、アンプル製造メーカーにおいて、アンプルをホルダーに収容する場合は、供給された平板状のホルダーを取り出し、上方摺動部と上方傾斜部との折り目および下方摺動部と下方傾斜部との折り目を挟み込んで把握すれば、上方摺動部および下方摺動部は、それらの切れ目に差し込まれたガイドに沿って摺動し、対向する外端縁同士が接近する。
【００１０】
このとき、上方保持部が底面部との折り目に沿って、また、上方傾斜部が上方摺動部との折り目に沿ってそれぞれ起立する方向に折れ曲がると同時に、下方保持部が底面部との折り目に沿って、また、下方傾斜部が下方摺動部との折り目に沿ってそれぞれ起立する方向に折れ曲がる。そして、上方摺動部および下方摺動部が摺動し、それらの対向する外端縁同士がほぼ突き合わされた場合、底面部の上方に、それぞれ上方保持部と上方傾斜部との折り目を頂点とし、上方保持部および上方傾斜部による断面三角形状の傾斜面が形成されるとともに、底面部の下方に、それぞれ下方保持部と下方傾斜部との折り目を頂点とし、下方保持部および下方傾斜部による断面三角形状の傾斜面が形成される。
【００１１】
次いで、上方保持部および上方傾斜部にわたって形成された保持穴および収容穴にアンプルの頸部および頭部を収容保持するとともに、下方保持部に形成された保持穴にその胴部を収容保持する。そして、ホルダーに必要本数のアンプルを収容保持すれば、別途組み立てた外箱にホルダーを収容した後、包装して出荷する。
【００１２】
したがって、アンプル製造メーカーに供給するホルダーは、糊代を折り込んで底面部に貼着するとともに、上方摺動部および下方摺動部を折り込み、それらの切れ目にガイドの上下端縁部を差し込んだだけであることから、その高さは、３枚の板厚に相当するほぼ平板状となる。この結果、輸送効率および保管効率を大幅に向上させることができる。また、ホルダーをほぼ平板状で輸送し、あるいは、保管するため、立体形状のホルダーを輸送し、あるいは、保管する場合に比較して、ホルダーが押し潰されないように緩衝する必要もなく、作業を簡単に行うことができる。さらに、アンプル製造メーカーにおいて、供給されたほぼ平板状のホルダーを挟み込むといった簡単な作業によってアンプルを収容可能な立体形状に変更することができる。
【００１３】
【発明の実施の形態】
以下、本発明の実施の形態を図面に基づいて詳細に説明する。
【００１４】
図１には、本発明のアンプルＢのホルダー１の一実施形態が該ホルダー１を収容可能な外箱２０とともに示されている。
【００１５】
このホルダー１は、アンプルＢを収容保持するものであり、コートボールを図２に示す展開図にしたがって打ち抜いた後、折り目に沿って折り込むとともに、所定部分を貼着して組み立てられる。
【００１６】
アンプルＢのホルダー１は、図２の展開図において、左右の各側端縁にそれぞれ折り目ｇを介して糊代９が連設された底面部２の上端縁に、上方保持部３、上方傾斜部４および上方摺動部５が順に折り目ａ，ｂ，ｃを介して連設されるとともに、底面部２の下端縁に、下方保持部６、下方傾斜部７および下方摺動部８が順に折り目ｄ，ｅ，ｆを介して連設され、各糊代９に上下端縁から中央に向かう設定長さの切れ目ｈ，ｉを有するガイド１０がそれぞれ連設されて構成されている。
【００１７】
そして、上方保持部３には、アンプルＢの頸部を保持するように、半円状の円弧部および方形部からなる略馬蹄形状の複数個の上方保持穴３ａが左右方向に設定間隔をおいて形成されている。この場合、各上方保持穴３ａは、円弧部が底面部２との折り目ａの近傍に位置するとともに、方形部の一辺が上方傾斜部４との折り目ｂに重なるように形成されている。
【００１８】
ここで、各上方保持穴３ａの上下方向長さは、後述するように、ホルダー１を立体形状に組み立てて、底面部２に対してほぼ垂直に起こした上方保持部３の上方保持穴３ａの円弧部にアンプルＢの頸部を沿わせて嵌め込んだ際、アンプルＢの頭部が上方保持部３と上方傾斜部４との折り目ｂを越えないように設定されている。
【００１９】
なお、上方保持穴３ａにおける方形部側の対向する二辺は、アンプルＢの頸部を容易に嵌め入れることができるように、上方傾斜部４との折り目ｂ方向に向かって逆八字状に拡開されている。
【００２０】
一方、上方傾斜部４には、上方保持部３に形成された各上方保持穴３ａにそれぞれ連続して、先端が半円状の円弧部を有する複数個の細長い収容穴４ａが形成されている。
【００２１】
ここで、上方傾斜部４の上下方向長さは、ホルダー１を立体形状に組み立てて、底面部２に対してほぼ垂直状に起こした上方保持部３の上方保持穴３ａの円弧部にアンプルＢの頸部を沿わせて嵌め込んだ際、アンプルＢの先端が、上方傾斜部４と上方摺動部５との折り目ｃを越えないように設定されている。この際、アンプルＢの頭部は、収容穴４ａに支持される。
【００２２】
また、下方保持部６には、アンプルＢの胴部を保持するように、半円状の円弧部および方形部からなる略馬蹄形状の複数個の下方保持穴６ａが左右方向に設定間隔をおいて形成されている。この場合、各下方保持穴６ａは、円弧部が底面部２との折り目ｄの近傍に位置するとともに、方形部の一辺が下方傾斜部７との折り目ｅに重なるように形成されている。
【００２３】
ここで、各下方保持穴６ａの上下方向長さは、ホルダー１を立体形状に組み立てて、底面部２に対して傾斜した状態に起こした下方保持部６の下方保持穴６ａの円弧部にアンプルＢの胴部を沿わせて嵌め込んだ際、アンプルＢの胴部が下方保持部６と下方傾斜部７との折り目ｅを越えないように設定されている。
【００２４】
なお、上方保持部３に形成された各上方保持穴３ａおよび下方保持部６に形成された各下方保持穴６ａは、それらの中心が合致するように設定されている。
【００２５】
さらに、上方摺動部５および下方摺動部８には、底面部２に対して糊代９をそれぞれ折り目ｇに沿って折り込んだ際、左右の各ガイド１０にそれぞれ対向して、ガイド１０の幅よりも若干大きな長さのコ字状の切れ目ｊが形成されている。
【００２６】
ここで、各ガイド１０の上下方向長さは、上方摺動部５の幅（上方傾斜部４との折り目ｃと外端縁間の間隔）と、下方摺動部８の幅（下方傾斜部７との折り目ｄと外端縁間の間隔）との和に設定されている。
【００２７】
また、上方摺動部５に形成された切れ目ｊと折り目ｃとの間隔Ｌ１  は、ガイド１０と糊代９との上方の切れ目ｈの長さに略設定されている他、下方摺動部８に形成された切れ目ｊと折り目ｆとの間隔Ｌ２  は、ガイド１０と糊代９との下方の切れ目ｉの長さに略設定されている。
【００２８】
次に、このように構成されたホルダー１の組立手順について説明する。
【００２９】
まず、図２の展開図にしたがってコートボールを打ち抜くとともに、裏面が上面を向くように反転させた後、各糊代９の中央部に接着剤を塗布し、底面部２に対してそれぞれ折り目ｇに沿って谷折りし、各糊代９を底面部２に貼着する（図３参照）。次いで、上方摺動部５を上方傾斜部４に対して折り目ｃに沿って谷折りする。この際、折り込まれた左右のガイド１０と、上方摺動部５の左右の切れ目ｊとが重なることから、左右のガイド１０の上端縁部を上方摺動部５の左右の切れ目ｊに差し込む（図４参照）。同様に、下方摺動部８を下方傾斜部７に対して折り目ｆに沿って谷折りすると、折り込まれた左右のガイド１０と、下方摺動部８の左右の切れ目ｊとが重なることから、左右のガイド１０の下端縁部を下方摺動部８の左右の切れ目ｊに差し込む（図４参照）。この状態で、ホルダー１を薬品メーカーに供給する。
【００３０】
一方、外箱２０についても、展開図にしたがってコートボールを打ち抜くとともに、裏面が上面を向くように反転させた後  糊代を折り目に沿って谷折りして、その表面に接着剤を塗布し、四周面のうちの一面を糊代に接着するように折り込み、四周面の一面と糊代とを接着する（図７（ａ）参照）。この状態で、外箱２０を薬品メーカーに供給する。
【００３１】
薬品メーカーにおいて、アンプルＢを出荷する場合は、前述したホルダー１を取り出し、折り込まれた上方摺動部５と上方傾斜部４との折り目ｃおよび折り込まれた下方摺動部８と下方傾斜部７との折り目ｆを挟み込んで把握すれば、ガイド１０に切れ目ｊを通して差し込まれた上方摺動部５と下方摺動部８とが互いに接近するようにガイド１０に沿って摺動する。この際、底面部２と糊代９とが貼着されているため、上方摺動部５と下方摺動部８とが互いに接近するように摺動することに伴って、上方保持部３および上方傾斜部４が、それらの折り目ｂを頂点とするように、それぞれ底面部２との折り目ａおよび上方摺動部５との折り目ｃに沿って起き上がるように折れ曲がる。同様に、下方保持部６および下方傾斜部７が、それらの折り目ｅを頂点とするように、それぞれ底面部２との折り目ｄおよび下方摺動部８との折り目ｆに沿って起き上がるように折れ曲がる。
【００３２】
そして、上方摺動部５と下方摺動部８とが互いに接近するように摺動し、それらの対向する外端縁同士がほぼ突き合わされた際、ガイド１０の上下の外端縁がそれぞれ折り目ｃ，ｆにほぼ重なる位置にあり、上方保持部３と上方傾斜部４との折り目ｂを頂点とし、上方保持部３および上方傾斜部４による断面三角形状の傾斜面が形成されるとともに、下方保持部６と下方傾斜部７との折り目ｅを頂点とし、下方保持部６および下方傾斜部７による断面三角形状の傾斜面が形成される（図５および図６参照）。
【００３３】
この後、組み立てられたホルダー１の上方保持部３の各上方保持穴３ａに頸部が位置するように、上方傾斜部４の各収容穴４ａ、上方保持部３の各上方保持穴３ａ、下方保持部６の各下方保持穴６ａにわたってアンプルＢをそれぞれ配置することにより、複数本のアンプルＢをホルダー１に収容保持することができる。
【００３４】
また、外箱２０についても、四周面を各折り目に沿って折り曲げて起こした後、他端側の左右のフラップを折り込むとともに、糊代の表面に接着剤を塗布して蓋部を折り込んで糊代に貼着すれば、一端側が開口された外箱２０を組み立てることができる（図７（ｂ）参照）。
【００３５】
次いで、組み立てられた外箱２０の一端側開口を通してアンプルＢを収容したホルダー１を挿入した後、他端側のフラップを折り込むとともに、差し込みフラップを差し込むことにより、アンプルＢが収容された収容容器を形成することができる。そして、収容容器を適宜包装した後、出荷される。
【００３６】
以上のように、アンプル製造メーカーに供給されるホルダー１は、底面部２、上方保持部３、上方傾斜部４、下方保持部６および下方傾斜部７が同一平面上に位置し、その上に糊代９およびガイド１０が折り込まれて重なるとともに、上方摺動部５および下方摺動部８が折り込まれて重なっていることから、上下方向に板厚３枚分の高さのほぼ平板状となっている。このため、ホルダー１をアンプルＢを配置できるように立体形状に組み立ててアンプル製造メーカーに供給する場合に比較して、一度に大量のホルダー１を供給することができ、輸送効率を大幅に改善することができるとともに、ホルダー１が押し潰されないように緩衝する必要がなく、作業を簡単に行うことができる。さらに、アンプル製造メーカーにおいて、供給されたホルダー１の保管効率を大幅に改善することができるとともに、ほぼ平板状のホルダーを挟み込むといった簡単な作業によってアンプルを収容可能な立体形状に変更することができる。
【００３７】
【発明の効果】
本発明によれば、容器メーカーにおいてアンプルのホルダーをほぼ平板状に組み立ててアンプル製造メーカーに供給することができるとともに、アンプル製造メーカーにおいて平板状のアンプルのホルダーを簡単に立体形状に変更させることができることから、輸送効率および保管効率に優れたアンプルのホルダーを得ることができる。
【図面の簡単な説明】
【図１】本発明のアンプルのホルダーの一実施形態を外箱とともに示す斜視図である。
【図２】図１のアンプルのホルダーの展開図である。
【図３】図１のアンプルのホルダーの組立要領を説明する斜視図である。
【図４】図１のアンプルのホルダーの組立要領を説明する斜視図である。
【図５】図１のアンプルのホルダーの組立要領を説明する斜視図である。
【図６】図５のアンプルのホルダーを示す表面側斜視図である。
【図７】図１の外箱の組立要領を説明する斜視図である。
【符号の説明】
１  ホルダー
２  背面部
３  上方保持部
３ａ  上方保持穴
４  上方傾斜部
４ａ  収容穴
５  上方摺動部
６  下方保持部
６ａ  下方保持穴
７  下方傾斜部
８  下方摺動部
９  糊代
１０  ガイド
ａ，ｂ，ｃ，ｄ，ｅ，ｆ，ｇ  折り目
ｈ，ｉ，ｊ  切れ目
Ｂ  アンプル
【図１】
2004352254.tif 000003
【図２】
2004352254.tif 000004
【図３】
2004352254.tif 000005
【図４】
2004352254.tif 000006
【図５】
2004352254.tif 000007
【図６】
2004352254.tif 000008
【図７】
2004352254.tif 000009